(57)【要約】セキュリティハードタグ（２０）では、保護の対象となるのは、たとえば、衣類であるが、これに限定されない商品（３）に結合するために装着クリップ（２４）が使用され、セキュリティハードタグはこれに挿入される認定された取り外し器を使ってのみ商品から解放されうる。装着クリップ（２４）は、その２つの端部に様々な種類のロック機構を含んでいてもよく、その一端はセキュリティハードタグハウジング内に永久に固定され、その他端はハウジング内に解放可能に固定される。一端は、ハウジング内に解放可能に固定される前に、商品の一部を貫通させられ、あるいは商品の一部の近くを通過させられ、あるいは商品に取り付けられたセキュリティタグ・ループを介して挿入され、その後、その端部はハウジング内でロックされる。取り外し器（２８）は、取り外し器自体の表面に位置するか、セキュリティハードタグハウジング内に配置されるカム（２８Ｂ）を使用して、ロックされた端部を解放するために装着クリップの一端と接触する。ハウジングは、セキュリティ要素および／または利益享受の阻止を含む。タグは、そのロック機構のみを含む非鉄製部品からなってもよい。
2012519898.tif 000002
【特許請求の範囲】
【請求項１】
商品に固定するように適合されたセキュリティハードタグであって、
ハウジングと、
ハウジング内に含まれるロッキング機構と、
ロッキング機構内に固定する端部を有する装着クリップであって、前記端部の一方は、ハウジング内に固定される前に、保護される商品に貫通させられ、あるいは商品の近くを通過させられる装着クリップと、
ハウジングに結合されたセキュリティ要素であって、商品の窃盗を阻止または妨害するセキュリティ要素と
を備えるセキュリティハードタグ。
【請求項２】
ロッキング機構をロック解除して装着クリップの端部の一方を解放するためにハウジング内で係合可能である取り外し器をさらに備える、請求項１に記載のセキュリティハードタグ。
【請求項３】
装着クリップの端部の少なくとも一方は、ハウジング内の第１の隙間を通過するときに圧縮され、かつ第１の隙間を通過すると拡張する鉤部を備える、請求項２に記載のセキュリティハードタグ。
【請求項４】
端部の他の一方は、ハウジング内の第２の隙間を通過するときに圧縮され、かつ第２の隙間を通過すると拡張する別の鉤部を備える、請求項３に記載のセキュリティハードタグ。
【請求項５】
端部の他の一方は、ハウジング内の第２の隙間内にある対応する複数の歯に係合する複数の歯を備える、請求項３に記載のセキュリティハードタグ。
【請求項６】
端部の他の一方は、ハウジング内の第２の隙間内に配置されたピンに係合する孔を備える、請求項３に記載のセキュリティハードタグ。
【請求項７】
装着クリップの端部の少なくとも一方は、ハウジング内の第１の隙間内に配置されたピンに係合する孔を備える、請求項２に記載のセキュリティハードタグ。
【請求項８】
端部の他の一方は、ハウジング内の第２の隙間内に配置されたピンに係合する別の孔を備える、請求項７に記載のセキュリティハードタグ。
【請求項９】
端部の他の一方は、ハウジング内の第２の隙間内の対応する複数の歯に係合する複数の歯を備える、請求項７に記載のセキュリティハードタグ。
【請求項１０】
装着クリップの端部はそれぞれ複数の歯を備え、それぞれの複数の歯の各々はハウジング内の第１および第２の隙間に配置された対応する複数の歯に係合する、請求項２に記載のセキュリティハードタグ。
【請求項１１】
装着クリップの各端部はクリップセグメントに対して直角をなす、請求項４に記載のセキュリティハードタグ。
【請求項１２】
装着クリップの端部の各々はクリップセグメントに対して直角をなす、請求項５に記載のセキュリティハードタグ。
【請求項１３】
装着クリップの端部の各々はクリップセグメントに対して直角をなす、請求項６に記載のセキュリティハードタグ。
【請求項１４】
装着クリップの端部の各々はクリップセグメントに対して直角をなす、請求項８に記載のセキュリティハードタグ。
【請求項１５】
装着クリップの端部の各々はクリップセグメントに対して直角をなす、請求項９に記載のセキュリティハードタグ。
【請求項１６】
装着クリップの端部の各々はクリップセグメントに対して直角をなす、請求項１０に記載のセキュリティハードタグ。
【請求項１７】
取り外し器は遠位端に配置されたカムを備え、カムは、前記遠位端が回転されると装着クリップの端部の一方に係合して前記端部の一方をロック解除する、請求項２に記載のセキュリティハードタグ。
【請求項１８】
ハウジングは、装着クリップの端部の一方に係合して前記端部の一方をロック解除するためにハウジング内で回転可能であるカム部材を備え、カム部材は前記カム部材を回転させる取り外し器の遠位端を受け入れる、請求項２に記載のセキュリティハードタグ。
【請求項１９】
鉤部は、前記鉤部が拡張するとハウジング内に配置された留め具に当接する端部を有する掛かりを備える、請求項３に記載のセキュリティハードタグ。
【請求項２０】
掛かりは配向の異なる２つの表面を接合するブリッジラインを備え、前記ブリッジラインは圧縮されると鉤部を第１の隙間から排出させる、請求項１９に記載のセキュリティハードタグ。
【請求項２１】
取り外し器は遠位端に配置されたカムを備え、カムは前記遠位端が回転されると前記端部の他の一方に係合して第２の隙間内に配置されたピンから前記端部の他の一方を外す、請求項６に記載のセキュリティハードタグ。
【請求項２２】
第２の隙間内の対応する複数の歯はハウジング内で変位可能である要素の一部を形成し、取り外し器は遠位端に配置されたカムを備え、前記遠位端が回転されるとカムは前記要素に係合し、前記対応する複数の歯を装着クリップの他方の端部の複数の歯から遠ざける方向に変位させる、請求項５に記載のセキュリティハードタグ。
【請求項２３】
装着クリップは隙間を介してハウジング内にロックされる第１の端部を備え、かつ装着クリップの第２の端部はセキュリティハードタグの下面に平行である溝から解放可能に挿入される、請求項２に記載のセキュリティハードタグ。
【請求項２４】
溝内に配置された回転ラチェット要素をさらに備え、装着クリップの第２の端部は回転ラチェット要素と係合する複数の歯を備える、請求項２３に記載のセキュリティハードタグ。
【請求項２５】
取り外し器は遠位端に配置されたカムを備え、カムは回転ラチェット要素と係合して装着クリップの第２の端部における複数の歯から回転ラチェット要素を離脱させる、請求項２４に記載のセキュリティハードタグ。
【請求項２６】
外向きの裾を備え、前記外向きの裾は装着クリップの端部がハウジングの中にロックされるとき、装着クリップを配置する空洞を形成する、請求項１に記載のセキュリティハードタグ。
【請求項２７】
特定周波数の磁場または電磁場に反応する、請求項１に記載のセキュリティハードタグ。
【請求項２８】
セキュリティ要素は電子式商品監視（ＥＡＳ）要素、または無線自動識別（ＲＦＩＤ）要素、またはこれらの組合せを備える、請求項２７に記載のセキュリティハードタグ。
【請求項２９】
ＥＡＳ要素は音響磁気要素、無線周波数要素、電磁気要素、またはマイクロ波要素、あるいはこれらの任意の組合せを備える、請求項２８に記載のセキュリティハードタグ。
【請求項３０】
ＲＦＩＤ要素は低周波要素、高周波要素、または極超短波要素、あるいはこれらの任意の組合せを備える、請求項２８に記載のセキュリティハードタグ。
【請求項３１】
セキュリティ要素は利益享受の阻止セキュリティ要素を備える、請求項１に記載のセキュリティハードタグ。
【請求項３２】
利益享受の阻止セキュリティ要素はインク充填または染料充填部材を備える、請求項３１に記載のセキュリティハードタグ。
【請求項３３】
利益享受の阻止セキュリティ要素は視覚警報、または聴覚警報、または触覚警報を備える、請求項３１に記載のセキュリティハードタグ。
【請求項３４】
ハウジングは非鉄製である、請求項１に記載のセキュリティハードタグ。
【請求項３５】
ロッキング機構は非鉄製である、請求項３４に記載のセキュリティハードタグ。
【請求項３６】
装着クリップは非鉄製である、請求項３５に記載のセキュリティハードタグ。
【請求項３７】
セキュリティ要素は非鉄製である、請求項３６に記載のセキュリティハードタグ。
【請求項３８】
セキュリティハードタグを商品に取り付ける方法であって、
ロッキング機構およびそれに結合されたセキュリティ要素を備えるハウジングを提供する工程であって、前記セキュリティは商品の窃盗を阻止または妨害するものである工程と、
ハウジング内の装着クリップの第１の端部をロックする工程と、
装着クリップの第２の端部を商品に貫通させ、あるいは商品の近くを通過させる工程と、
装着クリップの第２の端部をハウジングの中に解放可能に固定する工程と
を備える方法。
【請求項３９】
ハウジング内で装着クリップの第１の端部をロックする工程の前に、装着クリップの第２の端部を商品に貫通させ、あるいは商品の近くを通過させる工程が実施される、請求項３８に記載の方法。
【請求項４０】
非鉄製装着クリップの第１の端部をハウジングでロックする工程は、ハウジング内の第１の端部を永久にロックする工程を有する、請求項３８に記載の方法。
【請求項４１】
非鉄製装着クリップの第１の端部をハウジングでロックする工程は、ハウジング内の第１の端部を永久にロックする工程を有する、請求項３９に記載の方法。
【請求項４２】
装着クリップの第２の端部を解放可能に固定する工程は、遠位端を有する取り外し器をハウジングの中に挿入する工程を有し、取り外し器は、前記遠位端が回転されるとき、ハウジングから第２の端部を離脱させるために第２の端部に接触する、請求項３８に記載の方法。
【請求項４３】
装着クリップの第２の端部を解放可能に固定する工程は、遠位端を有する取り外し器をハウジングの中に挿入する工程を有し、取り外し器は、前記遠位端が回転されるとき、ハウジングから第２の端部を離脱させるために第２の端部に接触する内部回転可能カム部材に係合する、請求項３８に記載の方法。
【請求項４４】
第２の端部は、配向の異なる２つの表面を接合するブリッジラインを有する変形可能な掛かりを備え、第２の端部を解放可能に固定する工程は、第２の端部を解放するためにブリッジラインに沿って掛かりを変形させるように取り外し器の遠位端を回転させ、第２の端部を１回の操作でハウジングから部分的に出現させる工程を有する、請求項４２に記載の方法。
【請求項４５】
第２の端部は対応する複数の歯を備える変位可能な要素に係合する複数の歯を備え、第２の端部を解放可能に固定する工程は、前記要素を第２の端部の複数の歯から遠ざける方向に変位させるために取り外し器の遠位端を回転させる工程を有する、請求項４２に記載の方法。
【請求項４６】
第２の端部は複数の歯を有する枢動可能要素に係合する複数の歯を備え、第２の端部を解放可能に固定する工程は、枢動可能要素を枢動させて第２の端部の複数の歯から枢動可能要素の複数の歯を離脱させるために取り外し器の遠位端を回転させる工程を有する、請求項４２に記載の方法。
【請求項４７】
第２の端部はハウジング内に配置されたピンを通す開口部を備え、第２の端部を解放可能に固定する工程は、第２の端部をピンから離脱させるために取り外し器の遠位端を回転させる工程を有する、請求項４２に記載の方法。
【請求項４８】
第２の端部を解放可能に固定する工程は、ハウジングの裾の内部に装着クリップを配置する工程を有し、前記裾は装着クリップの上下への切断具のあご部の導入を阻止する、請求項３８に記載の方法。
【請求項４９】
セキュリティ要素は特定周波数の磁場または電磁場に反応する、請求項３８に記載の方法。
【請求項５０】
セキュリティ要素はインクまたは染料を商品の表面に放出する、請求項３８に記載の方法。
【請求項５１】
セキュリティ要素は視覚警報、または聴覚警報、または触覚警報を発する、請求項３８に記載の方法。
【請求項５２】
ハウジングを提供する前記ステップは非鉄製ハウジングを提供することを備える、請求項３８に記載の方法。
【請求項５３】
ハウジングを提供する工程は非鉄製ロッキング機構を提供する工程を有する、請求項５２に記載の方法。
【請求項５４】
ハウジング内の装着クリップの第１の端部をロックする工程は、ハウジング内の非鉄製装着クリップの第１の端部をロックする工程を有する、請求項５３に記載の方法。
【請求項５５】
ハウジング内の装着クリップの第１の端部をロックする工程は、ハウジング内の非鉄製装着クリップの第１の端部をロックする工程を有する、請求項３９に記載の方法。
【請求項５６】
ハウジングを提供する工程は非鉄製セキュリティ要素を提供する工程を有する、請求項５４に記載の方法。
【請求項５７】
セキュリティタグが結合されてもよい商品に提供されるループであって、前記ループは商品が陳列または展示されているときに商品の隠れた部分にあり、前記ループは固定的または解放可能に商品に固定され、セキュリティタグが前記ループの近くを通過し又は前記ループを貫通して結合されるループ。
【発明の詳細な説明】
【技術分野】
【０００１】
（関連出願の相互参照）
本ＰＣＴ出願は、３５  Ｕ．Ｓ．Ｃ．§１１９（ｅ）に基づき、「非鉄製ハードタグ」と題する２００９年３月４日に出願された仮出願第６１／１５７，２３７号、ならびに、やはり「非鉄製ハードタグ」と題する２００９年３月２６日に出願された仮出願第６１／１６３，６７７号の利益を主張し、それらの開示全体のいずれもが参照によって本明細書に組み込まれる。
本発明は、一般にセキュリティタグの分野に関し、具体的には、商品に解放可能に取り付けられ、その後に、認定された取り外し器によってのみ取り外されるハードタグに関する。
【背景技術】
【０００２】
多くの衣料品は供給源においてタグが付けられる（すなわち、セキュリティデバイスまたはセキュリティ要素が適用される）。これらのセキュリティデバイスは、電子式商品監視（ＥＡＳ）要素、無線自動識別（ＲＦＩＤ）要素、またはこのようなセキュリティデバイスの組合せなどを含んでいてもよく、これらは顧客窃盗の防止や減少のためにビジネスポータル、たとえば、店の出口や店頭（ＰＯＳ）などにおいて無線で検出されうる。市場に出回っている従来の多くのハードタグでは、商品の窃盗を防止するために商品（たとえば、衣類）にタグを固定するための金属ピンおよびロック機構が利用される。ハードタグが商品表面または商品と一体的に取り付けられた時点で、折れた縫い針が衣類の中に組み込まれて利用者、特に子供に害を及ぼすおそれがないように、商品は所要の検針を受ける。検針機（たとえば、日本国、株式会社ハシマ製、ＨＮ−２５検針機）は磁場の変化を検知して鉄類が検知場に入っている場合に警報を発する。これらの検出器は、典型的に、０．８ｍｍ（高）または１．２ｍｍ（低）の鋼球の鉄量に基づく２つの設定値を有する。また、折れた針が工場から出荷される場合は重大な法的責任もある。
【０００３】
さらに、衣服へのセキュリティデバイス／要素の実際のタグ取付けでは、衣服に孔を開けたり（たとえば、ピンおよびリセプタクル）、衣服に接着されたり、衣服内部に組み込まれたり（たとえば、縫い込まれたり）することによって衣服に「影響を与える」。これは、望ましくない影響（たとえば、衣服材料における穿刺孔、歪みなど）をもたらすだけでなく、事業で陳列される衣服の見栄えを悪くする。たとえば、セキュリティデバイス／要素を取り付けた衣服をハンガーに吊るしたりマネキンに着せたりして陳列すると布地に歪みやしわが生じる場合がある。このような魅力に欠ける陳列は、実際に、衣服を試着しようとする顧客の思いをも減退させて販売力の低下を招きかねない。
【０００４】
このことは、下着、水着、およびアクセサリなど多くの衣料品においてきわめて明らかであるだけでなく、織物類でも生じる。織物類としては、寝具類、タオル、敷布などのホームウェアアイテムが挙げられる。それゆえ、このような品物は、当技術分野で周知の品物のサイズまたは製品の侵襲性に起因して周知のセキュリティデバイスおよびこのようなデバイスの取付方法に有利に働かない。衣服、下着、および織物類のパッケージングに組み込まれるセキュリティデバイスの取付けは、当技術分野において周知である。特許文献１（Ｂｌｅｃｋｍａｎｎら）に示されるような織りラベルは、組み込み型のＥＡＳまたはＲＦＩＤデバイスを有する。
【０００５】
また、このような織りラベルのミシンによる取付方法は当技術分野において周知である。デバイスがペーパーチケット、値札、または品質表示タグ（スイングチケット）の中に組み込まれる他の方法が開示される。これらの製品も周知の方法によって取り付けられる。例として、特許文献２（Ｂｅｃｋｅｒ）、特許文献３（Ｌｏｅｍａｋｅｒら）、特許文献４（Ｅｌｓｔｏｎ）、および特許文献５（Ｂｌｅｃｋｍａｎｎら）を参照されたい。
【０００６】
さらに、ＲＦＩＤセキュリティデバイスが使用される場合、これらのデバイスが身の回り品に関連して使用されているとき、これはプライバシーの侵害の含みを有するので多くの人々はこのようなデバイスに不安を抱く。ＲＦＩＤセキュリティデバイスは、典型的に、品目自体に関するメモリを含む。このようなセキュリティデバイスが衣服に縫い込まれる場合、人々は、情報を記憶する可能性があり、かつ衣服を傷つけないと取り外せないデバイスを永久的に含む可能性のある衣服を購入したがらない。それゆえ、ＲＦＩＤセキュリティデバイスを使用すると、このようなセキュリティデバイスの衣服への「影響」が増す傾向がある。
【先行技術文献】
【特許文献】
【０００７】
【特許文献１】米国特許第６，７８０，２６５号明細書
【特許文献２】米国特許第５，５０８，６８４号明細書
【特許文献３】米国特許第５，５８３，４８９号明細書
【特許文献４】米国特許第６，２５４，９５３号明細書
【特許文献５】欧州特許第１１７１３００号明細書
【発明の概要】
【発明が解決しようとする課題】
【０００８】
それゆえ、商品の着用者に害を与える可能性のある金属ピンを利用しないと同時に検針に必ず合格するハードタグの必要性が依然としてある。同時に、このような品目に孔開け、穿刺、または接着せずに高級品や織物類に固定されうる、すなわち、このような品目に与える「害が全くないかまたは少なく」、顧客のプライバシー侵害の懸念を最小化するセキュリティタグを提供する必要性も依然としてある。さらに、ハードタグは、保護している商品から解放されるとき、ハードタグから離脱される要素の数を最小化することを求められる。
【課題を解決するための手段】
【０００９】
商品を固定するように適合されたセキュリティハードタグ（たとえば、衣類、特に子供の衣類などであるがこれに限定されない商品）であって、当該セキュリティタグはハウジングと、ハウジング内に含まれるロッキング機構と、ロッキング機構内に固定する端部を有する装着クリップであって、その端部の１つはハウジング内に固定される前に、保護される商品に貫通させられ、あるいは商品の近くを通過させられる装着クリップと、ハウジングに結合されるセキュリティ要素（たとえば、ＥＡＳ（ＡＭ、ＲＦ、ＥＭ、およびマイクロ波を含む）、ＲＦＩＤ（ＬＦ、ＨＦ、およびＵＨＦを含む）、利益享受の阻止（たとえば、インク充填または染料充填カプセル）、またはこれらの任意の組合せなどを含む）とを備え、セキュリティ要素は商品の窃盗を阻止または妨害する。
【００１０】
セキュリティハードタグの商品（たとえば、衣類、特に子供の衣類などであるがこれに限定されない商品）への取付け方法であって、当該取付け方法は、ロッキング機構とそれに結合されたセキュリティ要素（たとえば、ＥＡＳ（ＡＭ、ＲＦ、ＥＭ、およびマイクロ波を含む）、ＲＦＩＤ（ＬＦ、ＨＦ、およびＵＨＦを含む）、利益享受の阻止（たとえば、インク充填または染料充填カプセル）、またはこれらの任意の組合せなどを含む）であって、商品の窃盗を阻止または妨害するセキュリティ要素を備えるハウジングを提供する工程と、装着クリップの第１の端部をハウジング内にロックする工程と、装着クリップの第２の端部を商品に貫通させ、あるいは商品の近くを通過させる工程と、装着クリップの第２の端部をハウジングの中に解放可能に固定する工程とを有する。
【００１１】
セキュリティタグを結合してもよい商品（たとえば、衣類、特に子供の衣類などであるがこれに限定されない商品）に設けられるループであって、当該ループは商品が陳列中または展示中に商品の隠れた部分にあり、当該ループは固定的にまたは解放可能に商品に固定され、セキュリティタグを商品の近くを通過させ、あるいは商品に貫通させて結合しうる。
【図面の簡単な説明】
【００１２】
【図１】ボタン孔によって衣類の商品（たとえば、シャツ）に固定される本発明のハードタグを示す。
【図２】ベルト通しによって衣類の別の商品（たとえば、ズボン）に固定される本発明のハードタグを示す。
【図３】ハードタグを衣類の商品から解放するためにハードタグに挿入される取り外し器を示す本発明のハードタグの拡大等角図である。
【図４】図３の線４−４に沿って切り取られ、内部に挿入されているが回転されていない取り外し器を示す本発明のハードタグの垂直断面図である。
【図５】図３の線５−５に沿って切り取られ、さらに隙間から変位されあるいは「飛び出している」装着クリップの一端をロック解除する取り外し器を示す本発明のハードタグの垂直断面図である。
【図６】図５の線６−６に沿って切り取られ、それぞれの隙間内で係合された装着クリップの各端部における鉤部を示し、さらにハードタグ内に配置された円形セキュリティ要素を示す本発明のハードタグの断面図である。
【図７】図５の線７−７に沿って切り取られ、その隙間から装着クリップの鉤部の１つを離脱させて「飛び出させる」ための圧縮する取り外し器を示す本発明のハードタグの断面図であり、時計回りまたは反時計回りのいずれかの方向への取り外し器の過分な移動を防止するための取り外し器の２つの留め具も示す。
【図８】図５に似ているが、一端に鉤部を使用し他端に孔を使用する第２の変形装着クリップを使用するハードタグの断面図である。
【図９】装着クリップを解放するために孔を離脱する取り外し器の回転を示す図８のハードタグの断面図である。
【図１０】図５に似ているが、一端に鉤部を使用し、他端にラチェット歯を使用する第３の変形装着クリップを使用するハードタグの断面図であり、ラチェット機構は垂直配向ではなく横方向に係合される。
【図１１】装着クリップを解放するためにラチェット歯を離脱する取り外し器の回転を示す図１０のハードタグの断面図である。
【図１２】図１１の線１２−１２に沿って切り取られた平面断面図である。
【図１３】図５に似ているが、一端に鉤部を使用し他端にラチェット歯を使用する第４の変形装着クリップを使用するハードタグの断面図である。
【図１４】装着クリップを解放するためにラチェット歯を離脱する取り外し器の回転を示す図１３のハードタグの断面図である。
【図１５】図１４の線１５−１５に沿って切り取られたハードタグの平面断面図である。
【図１６】図５に似ているが、一端にラチェット歯を有し他端に孔を有する可撓部を使用する第５の変形装着クリップを使用するハードタグの断面図である。
【図１７】取り外し器とともに内部回転可能カム部材の使用を示す図１６のハードタグの分解図である。
【図１８】本発明のハードタグとともに使用されうる様々な装着クリップを示す。
【図１９】任意のタイプのセキュリティタグをいくぶん隠して衣類の商品に結合するための衣類の商品へのセキュリティタグ・ループの結合を示す。
【発明を実施するための形態】
【００１３】
本発明を図面（同様の参照符号は同様の要素を示す）と関連付けて説明する。
本発明は、商品の潜在的な顧客に対する商品の展示への影響を最小限に抑え、従来のハードタグの重量を低減し、検針に適合し、取り外し可能な部品数を削減し、ＥＡＳ（ＡＭ、ＲＦ、ＥＭ、およびマイクロ波を含む電子式商品監視）、ＲＦＩＤ（ＬＦ、ＨＦ、およびＵＨＦを含む無線自動識別）、利益享受の阻止（たとえば、カプセルを誤って取り外そうとするとインク／染料を排出するインク充填または染料充填カプセル、または視覚警報、または聴覚警報、または触覚警報、または窃盗を妨害または阻止しかつ／または窃盗未遂犯に対する商品の利益享受を阻止する商品から取り外せない品目（商品が正当に購入されない限り））、あるいはこれらの任意の組合せなどであるが、これらに限定されない任意のタイプのセキュリティ要素技術を含む汎用性に富んだ様々な品目に取り付けられうる新規なセキュリティハードタグを提供する。したがって、セキュリティ要素が無線伝送（たとえば、特定周波数の磁場または電磁場に反応する）を含むか、それともいかなる無線伝送（たとえば、利益享受の阻止、視覚／聴覚／触覚警報、または商品の不正所持などに注意を促すもの）とも関係なく動作するかどうかにかかわらず、本明細書を通じて使用される「セキュリティ要素」という用語は、ありとあらゆるこれらのタイプの窃盗阻止−妨害−利益享受の阻止デバイスを含むことを意味する。さらに、後続の議論のすべてにおいて、新規なセキュリティタグに関連するセキュリティ要素のタイプは本発明に制限を課さないことを理解されたい。
【００１４】
また、後で述べるように、ハードタグが保護している商品への固定から解放されるときでも、装着クリップがハードタグから完全に離脱することはなく、装着クリップは商品がハードタグから分離されるように離脱されるが、装着クリップはハードタグに固定されたままである。このため、装着クリップの喪失が防止され、さらに、クリップがハードタグから完全に離脱し、かつ乳幼児が離脱した装着クリップを見つけた場合に最も生じやすい窒息の危険性の発生が回避される。
【００１５】
また、本発明は、特に乳児服業界（たとえば、衣料品メーカーまたは小売店など）において容易に取り付けられて小売店の店頭（ＰＯＳ）で取り外せる低コストの非鉄製ハードタグの要求を満たす。本発明のセキュリティハードタグがメーカーにおいて手で商品に取り付けられる場合、セキュリティハードタグを備える商品は検針を受けるので非鉄製部品が必要とされる。それゆえ、本発明のセキュリティハードタグを使用すると、衣料品製造現場においてハードタグを取り付けることができると同時に検針の不合格を大幅に減らすことができる。
【００１６】
本発明品２０の重要なもう１つの特徴は、軽量（たとえば、５ｇ未満）であることであり、それによって、顧客が検討できるように吊るされたり陳列されたりする商品に与える影響が最小化される。単なる例として図１および２に示されるように、セキュリティハードタグ２０はシャツ（図１）またはズボン衣服のベルト通しに解放可能に固定されて示される。後で詳しく述べるように、セキュリティハードタグの装着クリップは、シャツ３のボタン孔２を通してあるいはズボン衣服５のベルト通し４の周りに取り付けられうる。セキュリティハードタグ２０は、軽量であるため、タグによってシャツやズボンが垂れ下がることがなく、顧客に好印象を与え、好適な陳列を提供する。
【００１７】
さらに、セキュリティタグ・ループ５００は、図１９に示すように、セキュリティタグを商品に結合するために固定的または解放可能に商品に提供されてもよい。このループは、商品が陳列されるとき商品の表面または内部の見えないところに隠されて取り付けられる。単なる例として図１９に示すように、セキュリティタグ・ループ５００はシャツ３の内層に固定されるため、セキュリティタグ（たとえば、本発明のセキュリティハードタグ２０）がそこに結合されているとき、陳列展示中の商品を一見してもこのセキュリティタグは見えない。本発明のセキュリティハードタグ２０をループ５００に結合した状態では、タグ２０の衝撃効果が低いために近づいてくる顧客にはほとんど感じられない。このようなループ５００は商品表面のどの場所にも取り付けられうるが、商品が吊るされるなどして購入する顧客に提示されるときの好ましい場所は、典型的に隠された場所である。
【００１８】
セキュリティハードタグ２０の形状は、円形として示されるが、これは単なる例であって無制限の数の形状（たとえば、長方形、三角形など）がセキュリティハードタグ２０に採用されうることを理解されたい。セキュリティハードタグ２０に対して選択された形状とは関係なく、タグ２０のサイズは乳幼児に対する窒息の危険性を回避するために十分な大きさである（たとえば、タグ２０のサイズは、窒息閾値基準である３１．９ｍｍを上回る外径を有する）。
【００１９】
図３〜５に端的に示すように、本発明品２０は、互いにしっかり固定される（たとえば、超音波溶接される）第１の部分２２Ａおよび第２の部分２２Ｂを有するハードタグハウジング２２を備える。ハウジング２２内には、第２の部分２２Ｂと装着クリップ２４の間に商品などの品目の一部を解放可能に固定する装着クリップ２４の両端を拘束する非鉄製ロック機構（図５）がある。さらに、ハウジング２２内には、セキュリティ要素２６がある。前述のように単なる例として、セキュリティ要素２６は、コイル２６Ａおよびコンデンサ２６Ｂ（図６、１２、および１５参照）を備えるＥＡＳ要素を備えていてもよい。コイル２６Ａ／コンデンサ２６Ｂは、セキュリティ要素２６を組立中に扱うことができる基板層２７に形成される。コイル２６Ａは、第２の部分２２Ｂ内に配置される。前述のように、セキュリティ要素２６は、ＲＦ、ＲＦＩＤ、ＡＭなどであるがこれらに限定されない様々なセキュリティ要素を含んでいてもよく、コイル２６Ａの代わりにアンテナを含んでいてもよい。セキュリティ要素２６の成分は、典型的にアルミニウムおよび／または銅、すなわち、非鉄であり、したがって、セキュリティ要素２６の存在によって検針が誘発される可能性はない。セキュリティタグ２６は、使用中にロック機構または装着クリップ端部の入口／出口との干渉を回避するためにハウジング２２内に配置される。それゆえ、万が一、セキュリティハードタグ２０がまだ結合されている商品を窃盗犯が持ち去ろうとすると、小売店出口（図示せず）の架台（やはり図示せず）が内部セキュリティ要素２６の存在を検出して警報を発する。
【００２０】
保護している商品からセキュリティハードタグ２０を取り外すために、装着クリップ２４の端部の一方を解放するための取り外し器２８が使用される。取り外し器２８の所持は、後で述べるように、担当責任者（たとえば、店長、店員など）に委ねられ、その者が取り外し器２８をセキュリティタグ２０の開口３０に挿入して回転させ、装着クリップ端部の一方を解放する。取り外し器２８は、その遠位端がカム２８Ｂであるシャンク２８Ａを備える。さらに、第２の部分２２Ｂは取り外し器２８のシャンク２８Ａに挿入される中心ポスト２９を含み、シャンク２８Ａはポスト２９を中心として回転可能に可動である。カム２８Ｂは、装着クリップ端の一部またはハウジング２２内の他の機構と接触し装着クリップ２４の端部を解放してセキュリティハードタグ２０を商品または品目から解放することができる。取り外し器２８は取り外し器全体の一部のみを示す「キースタイル」構成として図に示されているが、具体的には、図は本発明品２０に係合する取り外し器２８のその部分を示しているだけであることを理解されたい。それゆえ、取り外し器２８は、店頭（ＰＯＳ）に固定的に固定される部品を備えていてもよく、商品から本発明品を取り外す必要があるときに本発明品２０に係合する本明細書の図に示される部分を含む。さらに、本発明品２０に係合してこれを商品から解放するとき取り外し器２８を駆動するためにレバーなどの他のタイプの機構または自動化機構が採用されてもよい。
【００２１】
図５に端的に示すように、装着クリップ２４は、その端部２４Ａの一方がハウジング２２内の捕捉から解放され、かつハウジング２２からさらに「飛び出して」おり、それによって、担当責任者は解放された端部２４Ａをさらに変位させてクリップセグメント２４Ｃとハウジング２２の下部との間に捕らえられた商品（図示せず）の一部を取り外すことができる。装着クリップ２４の他端２４Ｂは、ハウジング２２内に捕捉されたままである。後で述べるように、セキュリティハードタグ２０とともに様々なタイプの装着クリップが使用されてもよい。図１８は、使用されうる装着クリップの種々の変形を示す。さらに、種々のサイズの装着クリップが使用可能であり、種々のタイプの商品に結合するサイズを区別するためにさらに色分けされてもよい。
【００２２】
本発明品２０のもう１つの窃盗防止機能は、ハウジングの第２の部分２２Ｂから垂れ下がる「裾」３２の存在である。図４において最もよく分かるように、装着クリップ２４の両端部２４Ａ／２４Ｂがハウジング２２内に完全に捕捉された状態で、クリップセグメント２４Ｃは裾３２によって形成される空洞３４内に配置される。裾３２は、窃盗未遂犯がクリップセグメント２４Ｃの上面および下面の近くに１対の切断あご部（たとえば、はさみ、ワイヤーカッターなど）を挿入してクリップセグメント２４Ｃを切断しようとするのを阻む。
【００２３】
装着クリップ２４は、ハウジング２２と同様にプラスチック製である。実際に、ハウジング２２のすべての部分、内部および外部、すなわち、第１の部分２２Ａおよび第２の部分２２Ｂは、プラスチック（たとえば、ポリエチレン、ポリマーを含むＰＶＣ（ポリ塩化ビニル）、その他のプラスチック材料、アクリロニトリル・ブタジエン・スチレン）からなる。好ましい実施形態では、本発明品２０の内外部には鉄材料が含まれない。装着クリップ２４の両端部は、（以下で簡単に説明するように）ハウジング２２内の構造とともに、セキュリティハードタグ２０用のプラスチック製ロッキング機構を形成する。装着クリップ２４（図１８参照）は以下で「鉤部」と呼ばれる湾曲したまたは「鉤状の」端部２４Ａおよび２４Ｂを有し、それらはクリップセグメント２４Ｃと直角をなすステム２４Ｄ／２４Ｅ（図１８参照）を有する。図５に示すように、セキュリティハードタグ２０の初期の組立中に、鉤部の一方（たとえば、２４Ｂ）は隙間３６を通り、鉤部２４Ｂは開口３８を通過するときにまず圧縮され、その後、鉤部の最端部である掛かり端部４０Ｂが第２の部分２２Ｂにおける留め具４２Ｂに対してロックされるように再び開く。まだ自由である他方の鉤部２４Ａは、その後、商品の開口を通過し（たとえば、シャツのボタン孔２、図１；ズボン衣服のベルト通し４、図２；セキュリティタグ・ループ５００、図１９など）、その後、自由端の鉤部２４Ａは隙間４４を押し通され、そこで、鉤部２４Ａは開口４６を通過するときにまず圧縮され、その後、掛かり端部４０Ａが第２の部分２２Ｂにおける留め具４２Ａに対して捕捉されるように再び開く。また、万が一、窃盗未遂犯がハウジング２２から装着クリップ２４を離脱させようとしてこれを引っ張ろうとした場合、図５に示すように、隙間壁４３は、留め具（４２Ａ／４２Ｂ）の厚さ（たとえば、およそ１．２７ｃｍ（０．５インチ））とともに、鉤部２４Ａ／２４Ｂの変形に耐える鉤部支持体を形成する。また、クリップセグメント２４Ｃによって捕捉されている商品（図示せず）の一部分の厚さに応じて、種々のステム２４Ｄ／２４Ｅ長を有する装着クリップ２４が選択され、たとえば、１つの方法では、種々のステムサイズの装着クリップ２４を色分けする。
【００２４】
また、図５は、セキュリティハードタグ２０が固定される商品（図示せず）からタグ２０がどのように解放されるかを示す。取り外し器２８が中心ポスト２９の上から開口３０の中に挿入されて方向４８（図３）に回転されると、カム２８Ｂは鉤部２４Ａを圧縮して一時的に変形させ、隙間４４の開口４６から取り出せるようにする。鉤部２４Ａは、掛かりの２つの非整列セグメント間にブリッジライン５０を含むので、カム２８Ｂが取り外し器２８の回転中にブリッジライン５０を押すと、鉤部２４Ａは単に圧縮されるのではなく、圧縮されかつ隙間４４から部分的に外に駆動され、それによって、担当責任者は解放された鉤部２４Ａおよびクリップセグメント２４Ｃを握ってセキュリティハードタグ２０が取り付けられている商品（図示せず）からタグ２０を解放することができることにさらに留意されたい。図５は、カム２８Ｂがブリッジライン５０に沿って鉤部２４Ｂを圧縮した後のこの「飛び出した」状態を示す。鉤部２４Ａをロック解除するだけでなくこれを隙間４４から部分的に「飛び出させる」というこの機能によって、担当責任者は、セキュリティハードタグ２０を解放するとき、取り外し器２８の挿入を隠すことができ、その後解放された鉤部２４Ａを手動で完全に引き出してこれに取り付けられた商品を解放する。たとえば、商品が店頭で正当に購入されるとき、担当責任者は、商品（セキュリティハードタグ２０が取り付けられた状態の）を店頭カウンタの下に置くことができ、ここで、担当責任者は取り外し器２８（顧客からは見えない）を開口３０に挿入し、これを回転させて鉤部２４Ａが解放されたことを「感じ取り」、取り外し器２８を取り外してからすべてを顧客が見えるようにし、ここで、担当責任者は装着クリップ２４をわずかに動かしてセキュリティハードタグ２０を購入商品から解放する。それゆえ、顧客は担当責任者が装着クリップ２４を解放するために何を使用したかを見る機会が全くない。また、以上から分かるように、他の鉤部２４Ｂはハウジング２２内でロックされたままであり、それによって、装着クリップ２４が緩んでハウジング２２から落ちて窒息の危険性を生じることが回避される。セキュリティハードタグ２０は、その後、新しい商品に取り付けることも簡単に廃棄することも可能である。
【００２５】
図６は、第２の部分２２Ｂを横切って見下ろしたところのセキュリティハードタグ２０の断面図であり、鉤部２４Ａを圧縮するカム２８Ｂを示している。図７は、第１の部分２２Ａを横切って見上げたところのタグ２０の断面図であり、カム２８Ｂの２つの留め具を示している。特に、鉤部２４Ａを圧縮するカム２８Ｂでは、カム２８Ｂは鉤部２４Ａを過分に移動させて解放することを留め具５２によって阻止される。同様に、カム２８Ｂが最初に挿入されたときに反対方向に回転することを阻止するために、留め具５４がある。したがって、取り外し器２８の挿入時に、これらの留め具は、担当責任者が取り外し器２８を素早く挿入してセキュリティハードタグ２０を解放するための触覚インジケータを提供する。ガイドポスト５６／５８は、組立中にハウジング部分２２Ａ／２２Ｂの位置合せを容易にする。
【００２６】
前述のように、装着クリップ２４は単なる例にすぎない。図１８は、セキュリティハードタグ２０とともに使用されうる様々な他の装着クリップ（１２４〜１２２４）を示す。以下の議論は、単なる例として図８〜１５に示す装着クリップ１２４、１２２４、および３２４を用いたセキュリティハードタグ２０の操作に向けられる。装着クリップの参照番号２４〜１２２４（図１８）とともに使用される文字「Ａ」および「Ｂ」はそれぞれの装着クリップの２つの端部を指しており、文字「Ｃ」はクリップセグメント（または、装着クリップの中心部）を指しており、文字「Ｄ」および「Ｅ」は直角ステムを指していることに留意されたい。
【００２７】
図８は、装着クリップセグメント１２４Ｃの一方の端部に鉤部１２４Ｂを、かつ開口部を備えた端部１２４Ａを使用する代替装着クリップ１２４を用いるセキュリティハードタグ１２０を示す。特に、鉤部１２４Ｂは、前述のように隙間３６に挿入されてそこでロックされる。しかしながら、セキュリティハードタグのこの実施形態では、解放機構は開口部を備えた端部１２４を解放可能に捕捉するように設計される。内部ピン６０は、隙間４４の開口４６の中に突き出るように第２の部分２２Ｂ内に固定的に配置される。開口部を備えた端部１２４Ａの上面は、開口部を備えた端部１２４Ａの孔１２５へのピン６０の挿入を容易にする２つのテーパー６２／６４を備えており、それゆえ、開口部を備えた端部１２４Ａが開口４６に挿入されると、第１のテーパー加工されたエッジ６２は、開口部を備えた端部１２４Ａを開口４６の中に移動しやすくする下向きフレキシブルフランジ６８の対応するテーパー加工されたエッジ６６に沿ってスライドする。開口部を備えた端部１２４Ａがさらに前進すると、ピン６０が孔１２５の内部に着座し、装着クリップ１２４がその中でロックされるまで、第２のテーパー加工されたエッジ６４はピン６０の外部に沿って進む。装着クリップ１２４をロック解除するために、担当責任者は取り外し器２８を挿入して、図９に示すようにカム２８Ｂが開口部を備えた端部１２４Ａの上部をピン６０から外すまで、これを前述のように回転させる。カム２８Ｂによる開口部を備えた端部１２４Ａの上部の移動によって、開口部を備えた端部１２４Ｂはフレキシブルフランジ６８を変位させる。担当責任者は、その後、解放された端部を引っ張ってセキュリティタグ１２０から商品を取り外すことができる。セキュリティハードタグ１２０は、その後、新しい商品に取り付けることも単に廃棄することも可能である。
【００２８】
図１０〜１１は、装着クリップ１２２４の端部の一方に対して側面導入を採用するセキュリティハードタグ２２０のもう１つの変形を示す。特に、装着クリップ１２２４は、一方の端部に鉤部端１２２４Ｂ、他方の端部１２２４Ａにラチェット歯、およびクリップセグメント１２２４Ｃを備える。鉤部または開口部を備えた端部とともに直角の端部を形成するステムを有する前述の装着クリップとは異なり、装着クリップ１２２４は、前述のように隙間３６／開口３８を介して鉤部端１２２４Ａをハウジング２２の中に固定するように操作されうる。他端１２２４Ａは、商品（図示せず；たとえば、シャツのボタン孔２、図１；ズボン衣服のベルト通し４、図２；セキュリティタグ・ループ５００、図１９など）を貫通し、あるいは商品の近くを通過し、その後、他端１２２４Ａは溝７０に挿入され、そこで、ラチェット歯はハウジング２２内の装着クリップ１２２４をロックする枢動可能要素７２の対応する歯と互いに噛み合う。商品からセキュリティハードタグ２２０を取り外すために、取り外し器２８が開口３０（図１０）に挿入された後に回転され（図１１）、こうして、カム２８Ｂは枢動可能部材７２をラチェット歯と接触しないように枢動させて端部１２２４Ａのラチェット歯を解放する。端部１２２４Ａは、その後、溝７０から引き出されてセキュリティハードタグ２２４を商品から解放する。
【００２９】
図１３〜１５は、クリップセグメント３２４Ｃに垂直であるステム３２４Ｄ／３２４Ｅを有する装着クリップ３２４を使用する別のセキュリティハードタグ３２０を示す。この実施形態では、鉤部３２４Ａは、前述のように、開口３８から隙間３６に挿入され、そこで留め具４２Ａにロックされる。装着クリップ３２４の他端３２４Ａは、ラチェット歯を備える。端部３２４Ａは隙間３６に挿入され、これによって整合ラチェット歯７６を有するスライディング部材７４をスプリング７８の偏倚力に対して矢印８４の方向に変位させ、端部３２４Ａをセキュリティハードタグ３２０内にロックする。スライディング部材ラチェット歯７６をクリップ端部３２４Ａのラチェット歯から離脱させるために、スライディング部材７４は端部３２４Ａから変位される必要がある。スライディング部材７４は、ポスト２９に結合されている固定された逆「Ｔ」要素８０上でスライドする。スライディング部材７４における溝Ｓ（図１５に端的に示す）によって、部材７４は逆Ｔ要素８０の中心ポスト８２の周りで動くことができる。セキュリティハードタグ３２０を商品から取り外すために、取り外し器２８が開口３０（図１３）に挿入され、その後、回転されて（図１４〜１５）スプリング７８を圧縮し、スライディング部材７４を矢印８４の方向に変位させ、これによって、スライディング部材７４のラチェット歯７６を装着クリップ端３２４Ａのラチェット歯から離脱させる。したがって、装着クリップ端３２４Ａをその後隙間３６から取り出すことができる。
【００３０】
図１６は、セキュリティハードタグ４２０の別の実施形態を示しており、タグ４２０を商品に固定するために別の装着クリップ１１２４が使用される。装着クリップ１２２４の場合と同様に、装着クリップ１１２４はクリップセグメント１１２４Ｃと直角をなすステムを含まない。このタグ４２０では、装着クリップ端１１２４Ｂは、隙間３６内部にある対応するラチェット歯８６に係合するラチェット歯を備え、それによって、装着クリップ端１１２４Ｂをセキュリティハードタグ４２０にロックする。装着クリップ１１２４の他端１１２４Ａは、開口部１２５を備え、前述のセキュリティハードタグ１２０に関して既に述べたようにテーパー加工された２つの上面６２／６４を備える。同様に、開口４６は、テーパー加工されたエッジ６６を有する下向きフレキシブルフランジ６８を備える。図１６は、ピン６０で捕捉されている開口部を備えた端部１１２４Ａを、挿入されているが回転されていない取り外し器２８とともに示す。開口部を備えた端部１１２４Ａの離脱はセキュリティハードタグ１２０に関して前述したものと類似しており、そのため、ここでは説明を割愛する。
【００３１】
図１７は、セキュリティハードタグ５２０の別の実施形態の分解図を示しており、取り外し器シャンク２８Ａの遠位端に配置されたカム２８Ｂは回転可能カム部材９０の対応する空洞８８に適合するキー要素１２８Ｂで置き換えられる。開口３０Ａは、キー要素１２８Ｂを有する取り外し器２８の遠位端を導入することができ、さらに、前述の開口３０とは異なる。それゆえ、カム部材９０は、ポスト９０の周りを回転可能であり、セキュリティハードタグ５２０のハウジング２２の内部に留まる。取り外し器２８が挿入されてキー要素１２８Ｂが空洞８８に入ると、取り外し器２８は回転可能になりカム部材９０を回転させ、カム表面９２を装着クリップの一端（たとえば、装着クリップ９２４の鉤部端９２４Ａ、図１８）に係合させ、鉤部９２４Ａを圧縮して離脱させ、鉤部９２４Ａをその対応する開口から「飛び出させ」、セキュリティハードタグ５２０をこれが取り付けられている商品（図示せず）から解放する。それゆえ、セキュリティハードタグ５２０は、取り外し器２８自体の一部ではなくハウジング２２内に留まる代替カム機構を提供する。
【００３２】
図１８は、前述した種々のセキュリティハードタグ２０〜５２０に採用されうる様々なタイプの装着クリップを示す。これらは、装着クリップの一端に対する様々な解放可能な固定機構の単なる例として示される。ハウジング２２内で解放可能に固定される装着クリップの一端は参照番号（たとえば、２４Ａ、１２４Ａ、２２４Ａ、３２４Ａ、９２４Ａ、１１２４Ａ、１２２４Ａ）において「Ａ」で指定されており、一方、ハウジング２２内でロックされたままの装着クリップの他端は参照番号（たとえば、２４Ｂ、１２４Ｂ、３２４Ｂ、９２４Ｂ、１１２４Ｂ、１２２４Ｂ）において「Ｂ」で指定されていることを理解されたい。しかしながら、本発明の最も広い範囲においては、「Ｂ」端部は解放可能であり、「Ａ」端部はハウジング２２内でロックされたままとなるようにこれを反転する。重要な特徴は、装着クリップ端の一方は解放可能であるが他端はハウジング２２内でロックされたままであるということである。他の実施形態のいずれにも示されていないが、装着クリップ２２４、３２４、４２４、５２４、６２４、７２４、８２４、および１０２４は様々なセキュリティハードタグ２０〜５２０において採用可能であり、装着クリップのどの端部が解放可能であるべきか、またハウジング２２内でどれをロック状態に保つべきかに応じて、このような解放可能な固定の操作は前述の議論に照らして理解されうることを理解されたい。それゆえ、実施形態２０〜５２０は単なる例であり、本明細書に示される装着クリップのいずれかを用いる本発明の最も広い範囲には、これらのセキュリティハードタグの他の変形形態も含まれる。
【００３３】
前述のように、セキュリティハードタグ、たとえば、２０〜５２０は、再利用可能であってもよく、使い捨てであってもよい。
さほど好ましい実施形態ではないが、本発明のセキュリティハードタグの最も広い範囲には、ハウジング２２および／または装着クリップ２４〜１２２４またはセキュリティ要素２６に鉄材料または金属の使用が含まれることを理解されたい。
【００３４】
さらに、セキュリティハードタグの好ましい使用方法は、装着クリップの一端をまずハウジング２２の中にロックし、その後、装着クリップの他端を商品（またはセキュリティタグ・ループ５００）に貫通させ、あるいは商品の近くを通過させて装着クリップの他端を連結させ、その後、第２の端部をハウジング２２内に解放可能に固定する（かくして、窒息の危険性を阻止する）ことであるが、本発明の最も広い範囲には、装着クリップの一端を商品（またはセキュリティタグ・ループ５００）にまず貫通させ、あるいは商品の近くを通過させて装着クリップの一端を界接させ、その後、ハウジング２２内のそれぞれの隙間内で装着クリップの各端部をロックすることが含まれることを理解されたい。
【００３５】
本発明をその具体例を参照して詳しく説明してきたが、本発明の趣旨および範囲から逸脱することなく様々な変更および修正がなされうることは当業者にとって明らかであろう。
【図１】
2012519898.tif 000003
【図２】
2012519898.tif 000004
【図３】
2012519898.tif 000005
【図４】
2012519898.tif 000006
【図５】
2012519898.tif 000007
【図６】
2012519898.tif 000008
【図７】
2012519898.tif 000009
【図８】
2012519898.tif 000010
【図９】
2012519898.tif 000011
【図１０】
2012519898.tif 000012
【図１１】
2012519898.tif 000013
【図１２】
2012519898.tif 000014
【図１３】
2012519898.tif 000015
【図１４】
2012519898.tif 000016
【図１５】
2012519898.tif 000017
【図１６】
2012519898.tif 000018
【図１７】
2012519898.tif 000019
【図１８】
2012519898.tif 000020
【図１９】
2012519898.tif 000021
【国際調査報告】
2012519898.tif 000022
2012519898.tif 000023
2012519898.tif 000024